(57)【要約】      （修正有）【課題】片手が不自由な人であっても衣類を引き上げて着替えることを可能にする補助具を提供する。【解決手段】ズボンを履く場合、下着の着替えや普段着からパジャマに着替えをするように衣類を着替える場合に、手掛けベルト５を不自由な片手に掛けて利き手を用いてリング１の接着テープ６を正面にしてそれを持ち上げて利き手で接着テープを剥離して衣類からリング１を外せば容易に着替をすることができる。片手の不自由な人が不自由な片手と利き手の両手を使って一人で着替えることが出来る。【選択図】図１
0003152073.tif 000002
【実用新案登録請求の範囲】
【請求項１】
折り曲げ可能な柔軟性のある心材をカバーで覆い、心材を胴体に巻き止めるために両側のそれぞれの端部に接着テープを設けて、心材の中ほどに手掛けベルトを移動可能に設けたことを特徴とする片手が不自由な人のための着替え用補助具。
【請求項２】
請求項１に記載の柔軟性のある心材はゴム製又は合成樹脂製ホースであることを特徴とする片手が不自由な人のための着替え用補助具。
【請求項３】
請求項１に記載の柔軟性のある心材は繊維製又は合成樹脂製ロープであることを特徴とする片手が不自由な人のための着替え用補助具。
【請求項４】
請求項１に記載のカバーは心材の周囲を覆う繊維製布であることを特徴とする片手が不自由な人のための着替え用補助具。
【請求項５】
請求項１に記載の手掛けベルトは繊維布製であることを特徴とする片手が不自由な人のための着替え用補助具。
【考案の詳細な説明】
【技術分野】
【０００１】
本考案は、片手が不自由な人が着替えをする際に補助具を使って一人で衣類を着やすく補助するために使用するための補助具であり、片手が不自由な人が自分だけで着替えが出来るように工夫された補助具に関するものである。
【背景技術】
【０００２】
介護用補助装置の中で、衣服装着補助器具（特許文献２）は、知られているが、片手が不自由な人の場合には、器具の重量や形状に左右されるので必ずしも利便性が良くない。
【０００３】
片手だけでは着替える衣類の装着、衣類の引き上げや、補助具の持ち運びの利便性がよくないという欠点があった。
【０００４】
詳細に記載すれば片手が不自由な人が一人で着替えをする用途において、この欠点は利便性に関して大きな障害である。具体的には、重量が重いので一定の場所に置かれるから、自宅風呂場や寝室などで使用される場合とか、病院、養老院といった日常とは異なる場所に生活の場所を移動して手軽に持ち運びする場合に利便性がない、片手が不自由な人が片手だけで、着替えるズボンやパジャマを装着したり、引き上げたりするのに不便であるなどの問題があった。
【０００５】
この改善策として、片手が不自由な人が居場所を変える場合、日常とは異なる場所毎に補助具が設置されることにより不便を解消する方法がある。特許文献２に公開される衣服装着補助器具が単独では移動に対応することが不便であるものに対して、片手が不自由な人は日常的にリハビリ訓練で症状を改善して自力移動ができる場合が多くあり、単独で着替え用補助具を使用される場所は、在宅中のみではなく浴場、養老院、介護センターのように移動先まで持ち運び使用ができるような着替えが容易で軽便な補助具が望まれている。
【先行技術文献】
【特許文献】
【０００６】
【特許文献１】特開２００８−２６６８４６号公報
【特許文献２】特開２００６−１５１０３号公報
【特許文献３】特開平１０−０３７０１２号公報
【考案の概要】
【考案が解決しようとする課題】
【０００７】
解決しようとする問題点は、脳梗塞をはじめ病に原因して治癒後に残る麻痺のために左右のいずれか一方の手が不自由であり、そのために自分で衣類の着替をすることが出来ない人のために、左手或いは右手が不自由なっているいずれの場合にも両手で着替えをすることが出来るようにする軽量柔軟な補助具を開発することを目的とする。
この補助具があれば、片手が不自由な人であっても着替えが容易になり、軽量であって利便性に優れて、リングに着替えを装着して、手掛けベルトを片手に掛けて利き手でリングを持って衣類を引き上げて着替えることを可能にする。
【課題を解決するための手段】
【０００８】
本考案は、麻痺している左手または右手を使って両手で常に着替えを可能とするため、腰の周囲に巻くリングとリング上を移動可能に取り付けた手掛けベルトとリングの両端部に両端部同士を接着或いは離脱できるようにするための接着テープを設けてなる補助具である。
リングに衣類を装着して不自由な手を手掛けベルトに掛けて、利き手でリングを持ち上げてリング両端の接着テープを外して衣類のゴムで体に着ることを最も主要な特徴とする。
【考案の効果】
【０００９】
本考案の片手が不自由な人のための着替え用補助具は、リングに衣類を装着して不自由な手を掛けるベルトをリング上で左右の適位置までスライド可能に設けるので、不自由な左手又は右手のいずれの位置にも、手掛けベルトを移動させて使い分けられるという利点がある。
【図面の簡単な説明】
【００１０】
【図１】片手が不自由な人のための着替え用補助具の実施方法を示した斜視図である。（実施例１）
【図２】片手が不自由な人のための着替え用補助具の実施方法を示した平面図である。（実施例１）
【図３】片手が不自由な人のための着替え用補助具の手掛けベルトを示した正面図である。（実施例１）
【図４】片手が不自由な人のための着替え用補助具の心材（ホース）を示した断面図である。（実施例１）
【図５】片手が不自由な人のための着替え用補助具の心材（ロープ）を示した断面図である。（実施例２）
【図６】片手が不自由な人のための着替え用補助具の使用方法を示した斜視図である。（実施例１、２共通）
【考案を実施するための形態】
【００１１】
片手が不自由な人が両手を使って衣類を着替えるという目的を、身体の周囲を取り巻くリングとリングに取り付ける手掛けベルトと該リングの両端部に設けた接着テープでリング両端を着脱可能にすることにより、軽量柔軟な着替え用補助具の利便性を損なわずに実現した。
【実施例１】
【００１２】
図１〜４及び６は、本考案装置の１実施例の実施方法を示す図面であって、１はリング、２は覆い布、３は心材ホース、５は手掛けベルト、６は接着テープ、７はリング通し穴、８は衣類である。
【００１３】
前記したように本考案は、身体の周囲を取り巻くリング１とリング１に取り付ける手掛けベルト５と該リングの両端部に設けた接着テープ６でリング両端を着脱可能にする実施方法にあるので、覆い布２は心材を覆うために心材の周囲に取り付けた繊維製の布であり説明は省略する。
【００１４】
着替え用補助ぐは、柔軟なゴム製又は合成樹脂製ホースを心材として体の周囲に巻くことが可能な１２０ｃｍ程度に切断して、ホース３を心材として覆い布２を周囲に被せて縫い合わせ取り付けた。その両端部には接着テープ６を縫い合わせて接着テープを接着してリング状に形成できるようにする。リング１は、接着テープを剥離すれば一本にできるものによって、両端を接着テープでリング状に形成してリング１には衣類８を装着し（図６参照）て体の周囲に両手でリング１と手掛けベルト５を引き上げて接着テープを外すと衣類はゴムの弾力で体に着き、衣類を着替えることが出来る。
【００１５】
手掛けベルト５は、輪の部分とリング通し穴７を設けてあり、リング通し穴７にリング１を通して輪の部分に左右どちらかの不自由な手を通して腕に補助具を掛けることができるようにした。従って、手掛けベルト５は、リング上をスライドして適位置まで移動させることが可能であるから、不自由な手が左手の人、不自由な手が右手の人のいずれの場合にも手掛けベルト５のリング上の位置を調整すれば左手又は右手の場合に適用できる。例えば、ズボンをリングの中に入れて、手掛けベルトも体型に合わせて移動ができる。
【００１６】
リング１の両端部に設けた接着テープ６は、心材を両端部で接着しリング状に形成したり、剥離して一本にするために設けてあり、心材として用いている長いホース３を一本にすることも接着してリング状に形成することも可能である。従って接着テープ６は、例えばマジックテープ（登録商標）のような材料を使用して心材の両端を接着してリング状にすることや剥離して一本にすることは片手が不自由な人でも自在にできるようにしてある。
【００１７】
上記の接着テープ６において、心材であるホース３の両端を接着した場合にホースはリング状になり、そこに衣類８を装着して着替える人がリング１を持ち上げれば衣類のゴムを腰周りまで引き上げて、その後はリングの接着テープ６を外して衣類を着替えることができる。
例えば、前記ズボンの例ではウエストサイズは、接着テープをずらして自由な長さに調整することが容易にできる。
ズボンをリング１の中に入れるときにリングを横に丸長くして、不自由な方の腕全体で押さえ込んで安定させると、片方の手でズボンをリングの中に入れることが楽にできる。
手掛けベルト５だけを持って引き上げるのはすべりが悪くて難しいので、必ずリング１を持って引き上げる。両足がズボンの中に入ったら、不自由な方の腕に手掛けベルト５を引っ掛けてリング１を持って引き上げると片手でも簡単にウエストまで引き上げることができる。ウエストまで引き上げることができたら前側にある接着テープ６を剥離して、リング１を外す時は前側の接着テープを片手で引っ張ると簡単に補助具を外すことができる。不自由な腕に通した手掛けベルト５によりリングが下に落ちることも無く、片づけができる。
【００１８】
このような実施形態を採用したので、片手でも着替えが容易になる。さらに、リング１と手掛けベルト５は、軽量であるから片手が不自由な人は一人で補助具を操作し易く移動するときにも持ち運びが容易なのでその使用によりリハビリ訓練を促進する効果がある。
【実施例２】
【００１９】
図５の実施例は、リング１の心材として長いロープ４を使用しロープの周囲に覆い布２を取付けたリングに手掛けベルト５を取り付ける場合である。心材としてロープを使用される場合、繊維製若しくは合成樹脂製であっても柔軟性のあるものが良い。  
左右の手いずれからでも手を通すことができるように手掛けベルト５を移動できるように移動用リング通し穴を設けたので、例えば左手が利かない場合は左手を手掛けベルトに通して右手を利用する場合、右手が利かない場合は右手を手掛けベルトに通して左手を利用する場合、左右のいづれの手が不自由であっても手掛けベルトをリング上でスライドして使用できるようにした。そのために手掛けベルトを左右に移動して各々手を差し替えて使用する。手掛けベルトは、リング上の位置をスライド自在にできるようにリング通し穴７を設けてその穴にリングを通してあるので、手掛けベルトは１個有る場合でも、２個ある場合とほぼ同様に使用をすることができる。
例えば、前記ズボンの例ではウエストサイズは、接着テープ６をずらして自由な長さに調整することが容易にできる。
ズボンをリング１の中に入れるときにリングを横に丸長くして、不自由な方の腕全体で押さえ込んで安定させると、片方の手でズボンをリングの中に入れることが楽にできる。
手掛けベルト５だけを持って引き上げるのはすべりが悪くて難しいので、必ずリングを持って引き上げる。両足がズボンの中に入ったら、不自由な方の腕に手掛けベルト５を引っ掛けてリング１を持って引き上げると片手でも簡単にウエストまで引き上げることができる。ウエストまで引き上げることができたら前側中心にある接着テープ６を剥離して、リング１を外す時は前側中心にある接着テープを片手で引っ張ると簡単に補助具を外すことができる。不自由な腕に通した手掛けベルトによりリングが下に落ちることも無く、片づけができる。
【産業上の利用可能性】
【００２０】
本考案の実施例に示すようにズボンを履く場合、下着の着替えや普段着からパジャマに着替えをする場合に、手掛けベルトを不自由な片手に掛けて利き手を用いて容易に着替をすることができるように考案された補助具である。片手が不自由な人であってもこの補助具があれば、これはもう一方の手が利く人の場合の補助具であるから、片手の不自由な人が手掛けベルト５を片手に掛けて利き手で新しい衣類を装着したリングを引き上げて着替えることが出来るので片手の不自由な人であっても、両手を使って一人で着替えをすることが出来る。その人が在宅、養老院、病院にいづれに在っても介護する者の手を借りずに容易に着替えをすることができる。
【符号の説明】
【００２１】
１    リング
２    覆い布
３    ホース
４    ロープ
５    手掛けベルト
６    接着テープ
７    手掛けベルトの移動用リング通し穴
８    衣類
【図１】
0003152073.tif 000003
【図２】
0003152073.tif 000004
【図３】
0003152073.tif 000005
【図４】
0003152073.tif 000006
【図５】
0003152073.tif 000007
【図６】
0003152073.tif 000008